(57)【要約】【課題】  光ディスクの面振れを抑えることができ、しかも光ディスクに対して接触による損傷をできる限り与えないようにすることができる光ディスク装置を提供する。【解決手段】  可撓性の光ディスクＡを回転させつつ、当該光ディスクＡに対物レンズ２を対向配置して光学的にアクセスを行う光ディスク装置であって、光ディスクＡが回転する際、対物レンズ２の近傍において当該光ディスクＡの片面に近接させられるスタビライザ３を備え、このスタビライザ３は、光ディスクＡに対して凸面状の対向面３１をもち、当該対向面３１が光ディスクＡとの接触に際して変形するように構成されている。【選択図】  図２
2006244664.tif 000002
【特許請求の範囲】
【請求項１】
可撓性の光ディスクを回転させつつ、当該光ディスクに対物レンズを対向配置して光学的にアクセスを行う光ディスク装置であって、
上記光ディスクが回転する際、上記対物レンズの近傍において当該光ディスクのいずれか一方の片面あるいはその両面に近接させられるスタビライザを備え、
上記スタビライザは、上記光ディスクに対して凸面状の対向面をもち、当該対向面が光ディスクとの接触に際して変形するように構成されていることを特徴とする、光ディスク装置。
【請求項２】
上記スタビライザの対向面は、弾性変形可能な合成樹脂で形成されている、請求項１に記載の光ディスク装置。
【請求項３】
上記スタビライザは、中空部材の開口を上記対向面で被覆形成したものからなる、請求項１または２に記載の光ディスク装置。
【請求項４】
上記スタビライザは、ディスク回転方向に回転自在に軸支されている、請求項１ないし３のいずれかに記載の光ディスク装置。
【発明の詳細な説明】
【技術分野】
【０００１】
本願発明は、可撓性の光ディスクを回転させ、当該光ディスクに対して光学的にアクセスを行う光ディスク装置に関する。
【背景技術】
【０００２】
たとえばディスクライブラリに用いられる光ディスクは、装置全体の小型化や大容量化などの点で有利なことから、厚みが１００μｍ程度で可撓性を有するものが提案されている。このような可撓性の光ディスクを回転させて光学的にアクセスするための従来の光ディスク装置としては、たとえば特許文献１に開示されたものがある。
【０００３】
同文献に開示された光ディスク装置は、光ディスクを高速回転させ、当該光ディスクに対物レンズを対向配置する一方、この光ディスクに対して対物レンズが配置された側とは反対側に安定化ガイド部材（スタビライザ）を近接配置したものである。このような構成によれば、光ディスクのアクセス部分が対物レンズと安定化ガイド部材との間を高速に通り抜けていく。このとき、当該アクセス部分には、空気流の圧力差による力と回転面に沿って真っ直ぐになろうとする力とが作用する。これらの力は、互いにうち消し合う方向に作用して釣り合うこととなり、その結果、アクセス部分の面振れが抑えられ、安定した状態でアクセスを行うことができる。また、この光ディスク装置では、安定化ガイド部材の位置調整を行うことにより、ディスク回転方向の位置やディスク回転数などが変化しても光ディスクの面振れを安定して抑えられるようになっている。
【０００４】
【特許文献１】特開２００３−６８０５０号公報
【発明の開示】
【発明が解決しようとする課題】
【０００５】
しかしながら、上記従来の光ディスク装置では、光ディスクの面振れが収束して安定的に光ディスクが回転するようになるまでの過渡期においては、面振れしている状態の光ディスクに安定化ガイド部材が近づけられるため、多少なりとも安定化ガイド部材が光ディスクに接触してしまい、光ディスクを傷つけてしまうおそれがあった。
【０００６】
本願発明は、上記した事情のもとで考え出されたものであって、光ディスクの面振れを抑えることができ、しかも光ディスクに対して接触による損傷をできる限り与えないようにすることができる光ディスク装置を提供することをその課題としている。
【課題を解決するための手段】
【０００７】
上記課題を解決するため、本願発明では、次の技術的手段を講じている。
【０００８】
本願発明によって提供される光ディスク装置は、可撓性の光ディスクを回転させつつ、当該光ディスクに対物レンズを対向配置して光学的にアクセスを行う光ディスク装置であって、上記光ディスクが回転する際、上記対物レンズの近傍において当該光ディスクのいずれか一方の片面あるいはその両面に近接させられるスタビライザを備え、上記スタビライザは、上記光ディスクに対して凸面状の対向面をもち、当該対向面が光ディスクとの接触に際して変形するように構成されていることを特徴としている。
【０００９】
このような構成によれば、たとえば光ディスクに対して対物レンズとは反対側の片面にスタビライザが近接させられる場合、光ディスクが対物レンズとスタビライザとの間を高速に通り抜け、当該光ディスクには、空気流の圧力差による力と回転面に沿って真っ直ぐになろうとする力とが作用する。これらの力は、互いにうち消し合う方向に作用して釣り合うこととなり、その結果、光ディスクの面振れが抑えられ、安定した状態で光ディスクが回転させられる。また、安定的に光ディスクが回転するようになるまでの過渡期において、面振れしている状態の光ディスクにスタビライザが近接させられる。その際、スタビライザが光ディスクに接触したとしても、接触部分となるスタビライザの対向面が変形することで光ディスクに対する接触が和らげられるため、そのような接触による損傷を光ディスクにできる限り与えないようにすることができる。
【００１０】
好ましい実施の形態としては、上記スタビライザの対向面は、弾性変形可能な合成樹脂で形成されている。
【００１１】
このような構成によれば、光ディスクとの接触時にスタビライザの対向面が弾性変形することにより、光ディスクとの接触をより和らげることができる。
【００１２】
他の好ましい実施の形態としては、上記スタビライザは、中空部材の開口を上記対向面で被覆形成したものからなる。
【００１３】
このような構成によれば、たとえば中空部材の内部における空気圧を増減したり、あるいは中空部材そのものを撓み変形させることにより、スタビライザの対向面を適当な形状に変形させることができる。
【００１４】
他の好ましい実施の形態としては、上記スタビライザは、ディスク回転方向に回転自在に軸支されている。
【００１５】
このような構成によれば、光ディスクに対してスタビライザが転がり接触することにより、光ディスクとの接触をより和らげることができ、しかも接触部分となる対向面の摩耗に対する耐久性を高めることができる。
【００１６】
本願発明のその他の特徴および利点は、添付図面を参照して以下に行う詳細な説明によって、より明らかとなろう。
【発明を実施するための最良の形態】
【００１７】
以下、本願発明の好ましい実施の形態を、図面を参照して具体的に説明する。図１〜４は、本願発明に係る光ディスク装置の一実施形態を示している。
【００１８】
図１によく示されているように、本実施形態の光ディスク装置は、たとえば厚みが１００μｍ程度で可撓性を有する光ディスクＡを高速回転させ、この光ディスクＡに対して光学的なアクセスにより記録や再生を行うものである。この光ディスク装置の筐体内には、レーザ光源や各種の光学部品が組み込まれた固定光学系１、対物レンズ２、スタビライザ３、光ディスクＡを高速回転させるためのスピンドルモータ（図示略）などが設けられている。対物レンズ２は、光ディスクＡの下面に対向配置されている一方、スタビライザ３は、対物レンズ２に対応しつつ対物レンズ２とは反対側となる光ディスクＡの上面に近接するように配置されている。
【００１９】
対物レンズ２は、図示しないレンズホルダなどを介してキャリッジ１０に搭載されており、このキャリッジ１０は、光ディスクＡの径方向に移動可能となるように一対のガイドレール１１に支持されている。ガイドレール１１は、光ディスクＡに対して平行で、かつ光ディスクＡの径方向に沿うように設けられており、筐体内の適部に固定されている。キャリッジ１０の両側には、磁石１２Ａおよびヨーク１２Ｂからなる磁気回路１２が設けられており、ヨーク１２Ｂには、光ディスクＡの径方向に移動可能となるようにコイル保持体１３が嵌め合わされている。コイル保持体１３は、キャリッジ１０の両側部に一体化されており、このコイル保持体１３のコイルに電流を流すと、キャリッジ１０がガイドレール１１およびヨーク１２Ｂに案内されて光ディスクＡの径方向に移動する。すなわち、対物レンズ２は、光ディスクＡの下面に対向しつつ光ディスクＡの径方向に移動するように構成されている。
【００２０】
特に図示しないが、キャリッジ１０には、対物レンズ２をフォーカス方向（概ね光ディスクＡの回転軸に沿う方向）に可動調整するための電磁アクチュエータや、レーザビームを対物レンズ２へと導くための光学部品などが組み込まれている。固定光学系１のレーザ光源から出射したレーザビームは、キャリッジ１０に向けて進行し、キャリッジ１０の内部で光ディスクＡに向かうように反射させられ、最終的に対物レンズ２を通って光ディスクＡに照射される。このレーザビームが光ディスクＡで反射した光は、対物レンズ２およびキャリッジ１０の内部を通って固定光学系１に戻る。固定光学系１において反射光を検出することにより、光ディスクＡの径方向位置ずれを示すトラックエラー信号や、線速度の変動を示すタンジェンタルプッシュプル信号が生成され、これらの信号に基づいて正確にアクセスが行われる。
【００２１】
スタビライザ３は、対物レンズ２に対向する光ディスクＡのアクセス部分を安定した姿勢に保ち、当該アクセス部分の面振れを抑えるためのものである。図２〜４に示されているように、スタビライザ３は、有底円筒状の中空部材３０と、この中空部材３０の開口を覆い隠すように形成され、光ディスクＡに対して近接させられる対向面３１とを有して構成されている。
【００２２】
図２によく示されているように、中空部材３０は、その開口を対向面３１により塞がれることで内部の気密性が保たれており、中空部材３０の底部には、空気圧供給口３０Ａが設けられている。これにより、図外に設けられた空気圧調整装置によって中空部材３０の内部気圧が調整される。このような中空部材３０は、アクチュエータ４によって光ディスクＡ側に近づけたり遠ざけたりさせられる。なお、特に図示しないが、アクチュエータ４は、対物レンズ２を光ディスクＡの径方向に移動させる機構と同様の仕組みにより、光ディスクＡの径方向に移動可能に構成されている。すなわち、スタビライザ３は、光ディスクＡに対する対物レンズ２の位置とは反対側において、対物レンズ２が移動する際にこれとの相対的位置関係を一定に保ちながら光ディスクＡの径方向に移動させられる。
【００２３】
スタビライザ３の対向面３１は、たとえば弾力性のある合成樹脂で形成されており、外力によって弾性変形しやすい凸面状を呈している。スタビライザ３は、光ディスクＡに対してアクセスを行う前の調整動作段階において、光ディスクＡの上面上方からその上面へと次第に近づけられる。このとき、光ディスクＡの面振れが収束して安定的に光ディスクＡが回転するようになるまでの過渡期においては、面振れしている状態の光ディスクＡがスタビライザ３の対向面３１に接触する。この接触によっても対向面３１が弾性変形するため、光ディスクＡに対する接触が緩衝させられる。
【００２４】
光ディスクＡに対してアクセスを行う段階では、光ディスクＡに対してスタビライザ３の対向面３１がほとんど接するか接しないか程度で近接し、光ディスクＡの面振れが効果的に抑えられる。これは、光ディスクＡが高速回転することでその周囲に空気流が生じ、この空気流がスタビライザ３の対向面３１と光ディスクＡの表面との間を通り抜けることで負圧が発生し、この負圧によって光ディスクＡがスタビライザ３側に若干吸い寄せられつつも面振れすることなく回転するためである。
【００２５】
このようなアクセス段階において、光ディスクとスタビライザとの間を通り抜ける空気流によって生じる負圧の圧力分布は、スタビライザの対向面がたとえば一様な平坦面で一定形状の場合、光ディスクのインナー側よりもアウター側において空気流の流速が大となるため、インナー側からアウター側へと次第に大きくなる傾向を示す。その点、本実施形態においては、インナー側からアウター側にわたって負圧が均等に分布するようになっている。すなわち、光ディスクＡのインナー側に対物レンズ２を移動させてアクセスを行う場合、中空部材３０の内部気圧が高められ、これにより対向面３１が光ディスクＡ側により大きく膨らんで曲率半径の比較的小さい曲面形状となる（図３参照）。その一方、光ディスクＡのアウター側に対物レンズ２を移動させてアクセスを行う場合には、中空部材３０の内部気圧が低下させられ、対向面３１が曲率半径の比較的大きい曲面形状となる（図４参照）。これにより、光ディスクＡのアクセス部分は、スタビライザ３に若干吸い寄せられた姿勢となり、対物レンズ２がどの移動位置にあっても当該対物レンズ２との距離が一定で面振れすることなく回転する。
【００２６】
次に、上記光ディスク装置の作用について説明する。
【００２７】
まず、光ディスクＡを所定の回転数で高速回転させた状態において調整動作を行う。この調整動作においては、たとえば回転する光ディスクＡのアウター側にスタビライザ３が位置し、このスタビライザ３が光ディスクＡへと次第に近づく。光ディスクＡとスタビライザ３との間隔がある程度になると、光ディスクＡの面振れが収束して安定的に光ディスクＡが回転した状態となる。回転状態が安定的であるか否かは、たとえばトラックエラー信号やプッシュプル信号に基づいて判定される。
【００２８】
このような調整動作の調整完了間際においては、光ディスクＡが多少なりとも面振れしている状態にあるため、光ディスクＡがスタビライザ３の対向面３１に接触することがある。このような接触においては、回転することである程度柔軟性がなくなった光ディスクＡに対して対向面３１が弾性変形しやすい。そのため、光ディスクＡに対する接触が緩衝させられることとなり、光ディスクＡに傷がつくほどのダメージが与えられることはない。
【００２９】
以上のような調整動作を終えた後、光ディスクＡに対するアクセス動作を行う。このアクセス動作においては、たとえば光ディスクＡの径方向に沿ってアウター側からインナー側へと対物レンズ２およびスタビライザ３が移動させられる。このとき、アウター側からインナー側へとスタビライザ３が移動するのに伴い、中空部材３０の内部気圧が漸減させられることにより、スタビライザ３の対向面３１が次第に萎んで曲率半径が大きくなるように変形させられる。これにより、スタビライザ３が移動する際には、光ディスクＡの周囲に生じる空気流にアウター側とインナー側とで速度差があっても、光ディスクＡとスタビライザ３との間には概ね一定の負圧が発生し、その結果、光ディスクＡを面振れさせることなく安定した姿勢で回転させることができる。このことは、対物レンズ２を介した光ディスクＡに対する光学的なアクセスを安定して行うことができることを意味する。
【００３０】
したがって、本実施形態の光ディスク装置によれば、光ディスクＡの面振れを抑えつつ安定的にアクセスを行うことができ、たとえスタビライザ３が光ディスクＡに接触したとしても、スタビライザ３の対向面３１によって光ディスクＡに接触による傷を付けないようにすることができる。
【００３１】
図５〜７は、本願発明に係る光ディスク装置の他の実施形態を示している。なお、先述した実施形態の構成要素と同一または類似のものについては、同一符号を付してその説明を省略する。
【００３２】
図５に示される実施形態では、光ディスクＡに対して対物レンズ２とは反対側にスタビライザ３Ａが配置されているほか、対物レンズ２の両隣となるキャリッジ１０の上部にも２つのスタビライザ３Ｂが配置されている。キャリッジ１０上のスタビライザ３Ｂは、内部の気圧を調整できない構成とする以外は先述した実施形態のものと同様の構成を備えている。すなわち、光ディスクＡは、その両面側に配置されたスタビライザ３Ａ，３Ｂの間を回転するようになっている。このように光ディスクＡの両面側にスタビライザ３Ａ，３Ｂを配置した構成によれば、光ディスクＡを面振れさせることなくより安定した姿勢で回転させることができる。
【００３３】
図６に示される実施形態では、スタビライザ３の中空部材３０がＵ字溝状に形成されている。このような中空部材３０は、内部の気圧を調整できないものの、ディスク回転方向に直交して互いに対向する一対の側壁３０Ｂが撓み変形可能になっている。そのため、対向面３１を弾性変形させる際には、中空部材３０の側壁３０Ｂが図示しないアクチュエータなどによって互いに接近／離隔するように撓み変形させられる。たとえば、中空部材３０の側壁３０Ｂを互いに接近させると、対向面３１が光ディスクＡ側により大きく膨らんで曲率半径の比較的小さい曲面形状となる一方、側壁３０Ｂを互いに離隔させると、対向面３１が曲率半径の比較的大きい曲面形状となる。このように対向面３１を機械的に弾性変形させる構成によっても、スタビライザ３が光ディスクＡの径方向に移動する際に光ディスクＡとスタビライザ３との間に概ね一定の負圧を発生させることができ、ひいては光ディスクＡを面振れさせることなく安定した姿勢で回転させることができる。
【００３４】
図７に示される実施形態では、スタビライザ３の中空部材３０が滑車状に形成されており、この中空部材３０がディスク回転方向に回転自在となるように軸４Ａを介してアクチュエータ４に軸支されている。スタビライザ３の対向面３１は、中空部材３０の周壁面を覆うように形成されている。このようなスタビライザ３では、対向面３１が回転する光ディスクＡに接触すると、当該対向面３１が弾性変形しつつも光ディスクＡに対して転がり接触することとなる。このような構成によれば、接触部分となる対向面３１がすり減りにくくなることで摩耗に対する耐久性が高く、スタビライザ３の長寿命化を図ることができる。
【００３５】
なお、本願発明は、上記の各実施形態に限定されるものではない。
【００３６】
光ディスクとしては、光学的のみならず磁気的にもアクセスが行われる光磁気ディスクが含まれ、本願発明は、光磁気ディスク装置においても適用可能である。
【図面の簡単な説明】
【００３７】
【図１】本願発明に係る光ディスク装置の一実施形態を示す斜視図である。
【図２】図１に示す光ディスク装置の要部正面図である。
【図３】図１に示す光ディスク装置の要部側面図である。
【図４】図１に示す光ディスク装置の要部側面図である。
【図５】他の実施形態による光ディスク装置の要部正面図である。
【図６】他の実施形態による光ディスク装置の要部正面図である。
【図７】他の実施形態による光ディスク装置の要部側面図である。
【符号の説明】
【００３８】
Ａ              光ディスク
２              対物レンズ
３，３Ａ，３Ｂ  スタビライザ
３０            スタビライザの中空部材
３０Ａ          開口
３１            スタビライザの対向面
１０            キャリッジ
【図１】
2006244664.tif 000003
【図２】
2006244664.tif 000004
【図３】
2006244664.tif 000005
【図４】
2006244664.tif 000006
【図５】
2006244664.tif 000007
【図６】
2006244664.tif 000008
【図７】
2006244664.tif 000009